(57)【要約】  複数の給電線間の接続状態を切り替える給電路切替回路は、複数のスイッチ回路と可変抵抗部とを有する。複数のスイッチ回路は、複数の給電線間の接続状態を切り替える。可変抵抗部は、切替前後の給電線間の接続経路上に配置され、複数のスイッチ回路の動作に連動して抵抗値が変化する。
2015025518.tif 000002
【特許請求の範囲】
【請求項１】
複数の給電線間の接続状態を切り替える給電路切替回路であって、
前記複数の給電線間の接続状態を切り替えるための複数のスイッチ回路と、
切替前後の給電線間の接続経路上に配置され、前記複数のスイッチ回路の動作に連動して抵抗値が変化する可変抵抗部と
を有する給電路切替回路。
【請求項２】
請求項１に記載の給電路切替回路において、
２つのダイオードを同じ向きに直列に接続した第１乃至第４のダイオード対を並列接続したダイオードブリッジ回路を有し、
前記複数の給電線は、第１の端局に接続される第１の給電線と第２の端局に接続される第２の給電線と第３の端局に接続される第３の給電線とアースに接続される第４の給電線とを有し、
前記複数のスイッチ回路は、前記第１の給電線を前記第１のダイオード対の前記２つのダイオードの接続点および前記第４の給電線の何れか一方に接続する第１のスイッチ回路と、前記第２の給電線を前記第２のダイオード対の前記２つのダイオードの接続点および前記第４の給電線の何れか一方に接続する第１のスイッチ回路と、前記第３の給電線を前記第３のダイオード対の前記２つのダイオードの接続点および前記第４の給電線の何れか一方に接続する第１のスイッチ回路と、前記第４の給電線を前記第４のダイオード対の前記２つのダイオードの接続点に接続する第４のスイッチ回路とを有し、
前記可変抵抗部は、前記第１乃至第４のダイオード対に並列に接続され、前記第１乃至第４のスイッチ回路の動作に連動して抵抗値が変化する
給電路切替回路。
【請求項３】
請求項２に記載の給電路切替回路において、
前記第１乃至第３の端局から送られてくる制御信号に従って、前記第１乃至第４のスイッチ回路の状態を変更すると共に前記可変抵抗部の抵抗値を変化させる制御部
を備える給電路切替回路。
【請求項４】
請求項２または３に記載の給電路切替回路において、
前記可変抵抗部は、
抵抗と、
前記抵抗に並列に接続され、前記第１乃至第４のスイッチ回路が動作する毎に短絡状態と開放状態との２つの状態を交互に切り替える第５のスイッチ回路とを備える
給電路切替回路。
【請求項５】
請求項２または３に記載の給電路切替回路において、
前記可変抵抗部は、
直列に接続された第１乃至第４の抵抗と、
前記第１の抵抗に並列に接続され、前記第１のスイッチ回路の動作に連動してスイッチ状態を切り替える第５のスイッチ回路と、
前記第２の抵抗に並列に接続され、前記第２のスイッチ回路の動作に連動してスイッチ状態を切り替える第６のスイッチ回路と、
前記第３の抵抗に並列に接続され、前記第３のスイッチ回路の動作に連動してスイッチ状態を切り替える第７のスイッチ回路と、
前記第４の抵抗に並列に接続され、前記第４のスイッチ回路の動作に連動してスイッチ状態を切り替える第８のスイッチ回路とを備える
給電路切替回路。
【請求項６】
複数の給電線間の接続状態を切り替えるための複数のスイッチ回路と、切替前後の給電線間の接続経路上に配置された可変抵抗部とを有する給電路切替回路が実行する給電路切替方法であって、
前記複数のスイッチ回路の動作に連動して前記可変抵抗部の抵抗値を変化させる
給電路切替方法。
【請求項７】
複数の端局に接続される複数の光ファイバに接続されると共に複数の給電線に接続される分岐装置であって、
前記複数の給電線間の接続状態を切り替える給電路切替回路を有し、
前記給電路切替回路は、
前記複数の給電線間の接続状態を切り替えるための複数のスイッチ回路と、
切替前後の給電線間の接続経路上に配置され、前記複数のスイッチ回路の動作に連動して抵抗値が変化する可変抵抗部と
を有する分岐装置。
【請求項８】
複数の端局と、
前記複数の端局に接続される複数の光ファイバに接続されると共に複数の給電線に接続される分岐装置と
を有し、
前記分岐装置は、前記複数の給電線間の接続状態を切り替える給電路切替回路を有し、
前記給電路切替回路は、前記複数の給電線間の接続状態を切り替えるための複数のスイッチ回路と、切替前後の給電線間の接続経路上に配置され、前記複数のスイッチ回路の動作に連動して抵抗値が変化する可変抵抗部とを有し、
前記複数の端局のうちの少なくとも１つの端局は、
前記分岐装置との間の前記給電線に定電流を供給する給電部と、
前記分岐装置に対して前記複数のスイッチ回路を切り替える制御信号を送信する制御信号送信部と、
前記分岐装置との間の前記給電線の電位を検出する電位検出部とを有する
海底ケーブルシステム。
【発明の詳細な説明】
【技術分野】
【０００１】
本発明は、海底ケーブルシステムで利用される給電路切替回路、分岐装置、海底ケーブルシステム、および給電路切り替え方法に関する。
【背景技術】
【０００２】
海底ケーブルシステムにおいては、中継装置や分岐装置へ直流定電流を供給する給電路に障害が発生した場合、その影響が及ぶ範囲を少なくするため、給電路を切り替える（再構成する）ようにしたものが知られている（例えば、特許文献１参照）。【０００３】
特許文献１に記載されている海底ケーブルシステムは、図７に示すように、分岐装置７０と端局７１〜７３との間に、中継装置７４〜７６が配置されている。また、分岐装置７０と端局装置７１〜７３は、給電路を構成するパス７７〜７９と、光ファイバ８０〜８２とによって接続されている。パス７７〜７９に障害が発生していない状態では、分岐装置７０内の給電路接点回路（図示せず）によって、パス７７とパス７８とを接続すると共に、パス７９とシーアースとを接続する。そして、端局７１（＋）からパス７７，７８を介して端局７２（−）へ直流定電流を流すことにより中継装置７４，７５に電力を供給し、シーアース（＋）からパス７９を介して端局７３（−）へ直流定電流を流すことにより中継装置７６に電力を供給する。【０００４】
次に、給電路に障害が発生した場合の動作を説明する。今、例えば、分岐装置７０と端局７２との間のパス７８に障害が発生したとする。【０００５】
パス７８に障害が発生すると、端局７１〜７３の何れかが光ファイバ８０〜８２を介して送信している信号に、給電路を切り替えるための制御信号を重畳して分岐装置７０へ送信する。これにより、分岐装置７０内の制御部（図示せず）が、上記重畳されている制御信号に従って給電路接点回路を制御し、給電路を切り替える。具体的には、パス７７とパス７９とを接続し、パス７８とシーアースとを接続する。これにより、端局７１（＋）からパス７７，７９を介して端局７３（−）に直流定電流が流れ、中継装置７４，７６に電力が供給される。【０００６】
また特許文献１では、分岐点における給電路を切り替えるスイッチの電位をモニタするモニタ手段と、このモニタ手段がモニタした電位を光ファイバを通じて端局へ送信するモニタ信号出力手段とを分岐装置に備えている。そして、給電路と接続した端局は、光ファイバを通じて受信した上記分岐点における給電路を切り替えるスイッチの電位をモニタしながら、制御信号により分岐点における給電路の切替えを行う構成を備えている。これにより、給電路を切り替えるスイッチにかかる電気的ストレスを低減している。
【先行技術文献】
【特許文献】
【０００７】
【特許文献１】特開２００２−５７６０７号公報
【発明の概要】
【発明が解決しようとする課題】
【０００８】
特許文献１に記載されている技術によれば、分岐点における給電路を切り替えるスイッチの電位をモニタしながら、遠隔制御により分岐点における給電路を切り替えることができる。しかし、特許文献１に記載されている技術は、給電路を切り替えるスイッチにかかる電気的ストレスを低減するための技術であり、給電路を切り替えるスイッチが動作したか否かを確認する技術ではない。そのため、給電路を切り替えるスイッチが動作したか否かを遠隔の地から確認することができないという課題がある。【０００９】
［発明の目的］
そこで、本発明の目的は、給電路を切り替えるスイッチが動作したか否かを遠隔の地から確認することができないという課題を解決した給電路切替回路を提供することにある。
【課題を解決するための手段】
【００１０】
本発明の第１の観点に係る給電路切替回路は、
複数の給電線間の接続状態を切り替える給電路切替回路であって、
前記複数の給電線間の接続状態を切り替えるための複数のスイッチ回路と、
切替前後の給電線間の接続経路上に配置され、前記複数のスイッチ回路の動作に連動して抵抗値が変化する可変抵抗部と
を有する。【００１１】
本発明の第２に観点に係る給電路切替方法は、
複数の給電線間の接続状態を切り替えるための複数のスイッチ回路と、切替前後の給電線間の接続経路上に配置された可変抵抗部とを有する給電路切替回路が実行する給電路切替方法であって、
前記複数のスイッチ回路の動作に連動して前記可変抵抗部の抵抗値を変化させる。【００１２】
本発明の第３の観点に係る分岐装置は、
複数の端局に接続される複数の光ファイバに接続されると共に複数の給電線に接続される分岐装置であって、
前記複数の給電線間の接続状態を切り替える給電路切替回路を有し、
前記給電路切替回路は、
前記複数の給電線間の接続状態を切り替えるための複数のスイッチ回路と、
切替前後の給電線間の接続経路上に配置され、前記複数のスイッチ回路の動作に連動して抵抗値が変化する可変抵抗部と
を有する。【００１３】
本発明の第４の観点に係る海底ケーブルシステムは、
複数の端局と、
前記複数の端局に接続される複数の光ファイバに接続されると共に複数の給電線に接続される分岐装置と
を有し、
前記分岐装置は、前記複数の給電線間の接続状態を切り替える給電路切替回路を有し、
前記給電路切替回路は、前記複数の給電線間の接続状態を切り替えるための複数のスイッチ回路と、切替前後の給電線間の接続経路上に配置され、前記複数のスイッチ回路の動作に連動して抵抗値が変化する可変抵抗部とを有し、
前記複数の端局のうちの少なくとも１つの端局は、
前記分岐装置との間の前記給電線に定電流を供給する給電部と、
前記分岐装置に対して前記複数のスイッチ回路を切り替える制御信号を送信する制御信号送信部と、
前記分岐装置との間の前記給電線の電位を検出する電位検出部とを有する。
【発明の効果】
【００１４】
本発明によれば、給電路を切り替えるスイッチが動作したか否かを遠隔の地から確認することができるという効果を得ることができる。
【図面の簡単な説明】
【００１５】
【図１】本発明の第１の実施の形態に係る海底ケーブルシステムの構成例を示すブロック図である。
【図２】給電路切替部１１の構成例を示すブロック図である。
【図３】可変抵抗部１２の構成例を示すブロック図である。
【図４】制御部１３の構成例を示すブロック図である。
【図５】端局２１の構成例を示すブロック図である。
【図６】可変抵抗部１２ａの構成例を示すブロック図である。
【図７】背景技術を説明するためのブロック図である。
【発明を実施するための形態】
【００１６】
次に、図面を参照して本発明の実施の形態について詳細に説明する。
【００１７】
［本発明の第１の実施の形態］
図１を参照すると、本発明の第１の実施の形態に係る海底ケーブルシステムは、分岐装置１と、端局２１〜２３とを備えている。端局２１と分岐装置１とは、信号伝送路を構成する光ファイバ５１と給電路を構成するパス４１とで接続されている。また端局２２と分岐装置１とは、信号伝送路を構成する光ファイバ５２と給電路を構成するパス４２とで接続されている。また端局２３と分岐装置１とは、信号伝送路を構成する光ファイバ５２と給電路を構成するパス４３とで接続されている。パス４１〜４３は給電線とも呼ばれる。分岐装置１と端局２１〜２３との間には、光ファイバ５１〜５３を介して端局２１〜２３間で送受信される光信号を増幅する中継装置３１〜３３が配置されている。分岐装置１及び中継装置３１〜３３には、給電路を構成するパス４１〜４３を介して電力が供給される。
【００１８】
分岐装置１は、給電路切替部１１と、可変抵抗部１２と、制御部１３と、光カプラ１４〜１６とを備えている。分岐装置１は、光ファイバ５１〜５３の分岐機能を有しているが、図示は省略している。
【００１９】
給電路切替部１１は、制御部１３の制御に従って給電路を切り替える。即ち、給電路切替部１１には、端局２１に繋がるパス４１と端局２２に繋がるパス２２と端局２３に繋がるパス４３とアースに繋がるパスとの合計４つのパスに接続されており、これらのパス間の接続状態を切り替える。可変抵抗部１２は、給電路を構成するパスの内、給電路の切り替え前後で共通に使用するパスの部分（共通パス部分）に直列に挿入され、制御部１３の制御に従って抵抗値を切り替える。光カプラ１４〜１６は、光ファイバ５１〜５３に接続されており、光ファイバ５１〜５３を伝送する信号を抽出して制御部１３へ出力する。制御部１３は、光ファイバ５１〜５３及び光カプラ１４〜１６を介して端局２１〜２３から送られてくる制御信号に従って給電路切替部１１を制御することにより給電路を切り替えると共に、上記制御信号に従って可変抵抗部１２を制御することにより、その抵抗値を切り替える。
【００２０】
図２を参照すると、給電路切替部１１は、給電路接点回路１１１と、ダイオードブリッジ回路１１２とを備えている。給電路接点回路１１１及びダイオードブリッジ回路１１２は、給電路の一部を構成する。
【００２１】
給電路接点回路１１１は、給電路を切り替えるための回路であり、制御部１３によって制御される４個のリレー接点ＲＬ１〜ＲＬ４を備えている。リレー接点ＲＬ１〜ＲＬ４はスイッチ回路とも呼ばれる。全てのパス４１〜４３が正常な場合は、例えば、図２に示すように、リレー接点ＲＬ１,ＲＬ２がａ側にされ、リレー接点ＲＬ３,ＲＬ４がｂ側にされる。なお、リレー接点ＲＬ１〜ＲＬ４には、識別子ＩＤ１〜ＩＤ４が付与されている。
【００２２】
ダイオードブリッジ回路１１２は、端局２１〜２３の極性にかかわらず、一定方向の定電流を可変抵抗部１２および制御部１３に供給するための回路である。ダイオードブリッジ回路１１２は、ダイオードＤ１，Ｄ２を同じ向きで直列に接続した第１のダイオード対と、ダイオードＤ３，Ｄ４を同じ向きで直列に接続した第２のダイオード対と、ダイオードＤ５，Ｄ６を同じ向きで直列に接続した第３のダイオード対と、ダイオードＤ７，Ｄ８を同じ向きで直列に接続した第４のダイオード対とを並列に接続した構成を有している。また、第１〜第４のダイオード対における２つのダイオードの接続部には、それぞれリレー接点ＲＬ１〜ＲＬ４が接続されている。また、ダイオードブリッジ回路１１２の各ダイオード対に対して並列に、可変抵抗部１２と制御部１３とを含む直列回路が接続されている。
【００２３】
このように、リレー接点ＲＬ１は、パス４１を、２つのダイオードＤ１、Ｄ２の接続点およびアースに繋がるパスの何れか一方に接続するスイッチ回路を構成する。またリレー接点ＲＬ２は、パス４２を、２つのダイオードＤ３、Ｄ４の接続点およびアースに繋がるパスの何れか一方に接続するスイッチ回路を構成する。またリレー接点ＲＬ３は、パス４３を、２つのダイオードＤ５、Ｄ６の接続点およびアースに繋がるパスの何れか一方に接続するスイッチ回路を構成する。またリレー接点ＲＬ４は、アースに繋がるパスを、２つのダイオードＤ７、Ｄ８の接続点に接続するスイッチ回路を構成する。
【００２４】
図３を参照すると、可変抵抗部１２は、直列に接続された複数の抵抗Ｒ１〜Ｒ４と、抵抗Ｒ１〜Ｒ４と並列に接続されたリレー接点ＲＬ１０１〜ＲＬ１０４とから構成されている。リレー接点ＲＬ１０１〜ＲＬ１０４はスイッチ回路とも呼ばれる。リレー接点ＲＬ１０１〜ＲＬ１０４は、短絡状態（ａ側）と開放状態（ｂ側）との２つの状態をとることができる。
【００２５】
本実施の形態では、抵抗Ｒ１〜Ｒ４の抵抗値ｒ１〜ｒ４は異なっている。但し、抵抗Ｒ１〜Ｒ４の抵抗値は全て同一であっても構わない。リレー接点ＲＬ１０１〜ＲＬ１０４は、それぞれ給電路接点回路１１１内のリレー接点ＲＬ１〜ＲＬ４と対応しており、リレー接点ＲＬ１〜ＲＬ４がａ側に切り替えられた場合には、リレー接点ＲＬ１０１〜ＲＬ１０４がａ側に切り替えられ、リレー接点ＲＬ１〜ＲＬ４がｂ側に切り替えられた場合は、リレー接点ＲＬ１０１〜ＲＬ１０４がｂ側に切り替えられる。このようにリレー接点ＲＬ１０１〜ＲＬ１０４は、リレー接点ＲＬ１〜ＲＬ４の動作に連動する。この結果、可変抵抗部１２の抵抗値は、リレー接点ＲＬ１〜ＲＬ４の動作に連動して変化する。
【００２６】
図４を参照すると、制御部１３は、３個のフォトダイオードＰＤ１〜ＰＤ３と、給電路切替制御部１３１と、可変抵抗制御部１３２と、制御回路１３３とを備えている。図４では、制御部１３と可変抵抗部１２および給電路切替部１１との間の接続経路は図示を省略している。
【００２７】
フォトダイオードＰＤ１〜ＰＤ３は、端局２１〜２３から光ファイバ５１〜５３を介して送られ、光カプラ１４〜１６で検出された制御信号を光電変換する。制御回路１３３は、フォトダイオードＰＤ１〜ＰＤ３によって電気信号に変換された制御信号を給電路切替制御部１３１および可変抵抗制御部１３２に供給する。
【００２８】
給電路切替制御部１３１は、制御回路１３３から供給された制御信号に従って、給電路接点回路１１１内のリレー接点ＲＬ１〜ＲＬ４の状態を切り替える。より具体的には、上記制御信号は、切り替え対象にするリレー接点の識別子と、切り替え後のリレー接点の状態（ａ側あるいはｂ側）を示す状態情報とを含んでおり、給電路切替制御部１３１は、制御情報中の識別子によって示されるリレー接点の状態を、制御情報中の状態情報によって示される状態に切り替える。
【００２９】
可変抵抗制御部１３２は、制御回路１３３から供給された制御信号に従って、可変抵抗部１２内のリレー接点ＲＬ１０１〜ＲＬ１０４の状態を切り替える。より具体的には、制御信号中の識別子によって示される給電路接点回路１１１内のリレー接点と対応する可変抵抗部１２内のリレー接点の状態を、制御信号中の状態情報が示す状態に切り替える。例えば、制御信号中の識別子がリレー接点ＲＬ３を示すＩＤ３であった場合は、リレー接点ＲＬ１０３の状態を、制御信号中の状態情報によって示される状態に切り替える。
【００３０】
なお、給電路切替制御部１３１および可変抵抗制御部１３２は、ＣＰＵ（中央処理装置）によって実現可能であり、その場合は例えば次のようにする。ＣＰＵを給電路切替制御部１３１および可変抵抗制御部１３２として機能させるためのプログラムを記録したディスク、半導体メモリ、その他の記録媒体を用意し、ＣＰＵに上記プログラムを読み取らせる。ＣＰＵは、読み取ったプログラムに従って自身の動作を制御することにより、自ＣＰＵ上に給電路切替制御部１３１および可変抵抗制御部１３２を実現する。
【００３１】
図５を参照すると、端局２１は、給電部２１１と、制御信号送信部２１２と、電位検出部２１３と、キーボード等の入力部２１４と、ＬＣＤ等の表示部２１５とを備えている。なお、他の端局２２，２３も同様の構成を有している。
【００３２】
給電部２１１は、給電路を構成するパス４１を介して分岐装置１へ直流定電流を供給する。
【００３３】
制御信号送信部２１２は、管理者によって入力部２１４から入力される指示に従って、給電路接点回路１１１内のリレー接点ＲＬ１〜ＲＬ４の状態を切り替えるための制御信号を作成し、光ファイバ５１を介して分岐装置１へ送信する。本実施の形態では、制御信号は、切り替え対象にするリレー接点の識別子と、切り替え後のリレー接点の状態を示す状態情報とを含むものとするが、これに限られるものではない。
【００３４】
電位検出部２１３は、パス４１の電位（対地電位）を検出し、検出結果を表示部２１５に表示する。
【００３５】
次に、本実施の形態の動作について詳細に説明する。
【００３６】
今、例えば、給電路接点回路１１１内のリレー接点ＲＬ１〜ＲＬ４の状態および可変抵抗部１２内のリレー接点ＲＬ１０１〜ＲＬ１０４の状態が、それぞれ図２および図３に示すものであり、端局２１，２２，２３の給電に係る極性がそれぞれ（＋）,（−）,（−）であるとする。この状態では、次の２つの経路で給電が行われる。第１番目の経路は、端局２１（＋）→パス４１→リレー接点ＲＬ１→ダイオードＤ１→可変抵抗部１２→制御部１３→ダイオードＤ４→リレー接点ＲＬ２→パス４２→端局４２（−）である。第２番目の経路は、シーアース２４→リレー接点ＲＬ３→パス４３→端局２３（−）である。
【００３７】
上記した２つの経路で給電しているときに、例えば、パス４２に障害が発生すると、次のような処理が行われる。
【００３８】
先ず、端局２１の管理者が、切り替え対象にするリレー接点ＲＬ４の識別子ＩＤ４と、切り替え後の状態を示す状態情報（ａ側）とを含んだ制御信号送信指示を入力部２１４から入力する。これにより、制御信号送信部２１２が、識別子ＩＤ４と状態情報（ａ側）とを含んだ制御信号を作成し、光ファイバ５１を介して分岐装置１へ送信する。
【００３９】
上記制御信号は、フォトカプラ１４を介して制御部１３に入力され、フォトダイオードＰＤ１によって光電変換された後、給電路切替制御部１３１および可変抵抗制御部１３２に入力される。
【００４０】
これにより、給電路切替制御部１３１は、給電路接点回路１１１のリレー接点ＲＬ４をａ側に切り替える。また、可変抵抗制御部１３２は、リレー接点ＲＬ１０４をａ側に切り替える。
【００４１】
リレー接点ＲＬ４がａ側に切り替えられることにより、端局２１（＋）→パス４１→リレー接点ＲＬ１→ダイオードＤ１→可変抵抗部１２→制御部１３→ダイオードＤ８→リレー接点ＲＬ４→リレー接点ＲＬ３→パス４３→端局４３（−）という給電の経路が形成される。また、リレー接点ＲＬ４，ＲＬ１０４がａ側に切り替えられることにより、可変抵抗部１２の抵抗値が「ｒ３＋ｒ４」から「ｒ３」に変化する。その結果、端局２１の電位検出部２１３で検出されるパス４１の電位が変化するので、管理者は、リレー接点ＲＬ４の切り替えが完了したことを確認することができる。
【００４２】
その後、端局２１の管理者は、給電路接点回路１１内のリレー接点ＲＬ３の識別子ＩＤ３と、状態情報（ａ側）とを含んだ制御信号送信指示を入力部２１４から入力する。この制御信号送信指示に従って、制御信号送信部２１２は、識別子ＩＤ３と、状態情報（ａ側）とを含んだ制御信号を分岐装置１へ送信する。
【００４３】
これにより、分岐装置１内の給電路切替制御部１３１は給電路接点回路１１１内のリレー接点ＲＬ３をａ側に切り替え、可変抵抗制御部１３２は可変抵抗部１２内のリレー接点ＲＬ１０３をａ側に切り替える。リレー接点ＲＬ３がａ側に切り替えられることにより、端局２１（＋）→パス４１→リレー接点ＲＬ１→ダイオードＤ１→可変抵抗部１２→制御部１３→ダイオードＤ６→リレー接点ＲＬ３→パス４３→端局４３（−）という給電の経路が形成される。また、リレー接点ＲＬ１０３がａ側に切り替えられることにより、可変抵抗部１２の抵抗値が「ｒ３」から「０」に変化する。その結果、端局２１の電位検出部２１３で検出されるパス４１の電位が変化するので、管理者は、リレー接点ＲＬ３の切り替えが完了したことを確認することができる。
【００４４】
その後、端局２１の管理者は、給電路接点回路１１１内のリレー接点ＲＬ２の識別子ＩＤ２と、状態情報（ｂ側）とを含んだ制御信号送信指示を入力部２１４から入力する。この制御信号送信指示に従って、制御信号送信部２１２は、識別子ＩＤ２と、状態情報（ｂ側）とを含んだ制御信号を分岐装置１へ送信する。
【００４５】
これにより、分岐装置１内の給電路切替制御部１３１は給電路接点回路１１１内のリレー接点ＲＬ２をｂ側に切り替え、可変抵抗制御部１３２は可変抵抗部１２内のリレー接点ＲＬ１０２をｂ側に切り替える。リレー接点ＲＬ１０２がｂ側に切り替えられることにより、可変抵抗部１２の抵抗値が「０」から「ｒ２」に変化する。その結果、端局２１の電位検出部２１３で検出されるパス４１の電位が変化するので、管理者は、リレー接点ＲＬ２の切り替えが完了したことを認識することができる。なお、リレー接点ＲＬ２がｂ側に切り替えられた後も、端局２１（＋）→パス４１→リレー接点ＲＬ１→ダイオードＤ１→可変抵抗部１２→制御部１３→ダイオードＤ６→リレー接点ＲＬ３→パス４３→端局４３（−）という給電の経路が形成されている。
【００４６】
その後、端局２１の管理者は、リレー接点ＲＬ４の識別子ＩＤ４と、状態情報（ｂ側）とを含んだ制御信号送信指示を入力部２１４から入力する。この制御信号送信指示に従って、制御信号送信部２１２は、識別子ＩＤ４と、状態情報（ｂ側）とを含んだ制御信号を分岐装置１へ送信する。
【００４７】
これにより、分岐装置１内の給電路切替制御部１３１は、給電路接点回路１１１内のリレー接点ＲＬ４をｂ側に切り替え、可変抵抗制御部１３２は、可変抵抗部１２内のリレー接点ＲＬ１０４がｂ側に切り替える。リレー接点ＲＬ１０４がｂ側に切り替えられることにより、可変抵抗部１２の抵抗値が「ｒ２」から「ｒ２＋ｒ４」に変化する。その結果、端局２１の電位検出部２１３で検出されるパス４１の電位が変化するので、管理者は、リレー接点ＲＬ４の切り替えが完了したことを認識する。なお、リレー接点ＲＬ４がｂ側に切り替えられた後も、端局２１（＋）→パス４１→リレー接点ＲＬ１→ダイオードＤ１→可変抵抗部１２→制御部１３→ダイオードＤ６→リレー接点ＲＬ３→パス４３→端局４３（−）という給電の経路が形成されている。以上で、給電路の切り替えは、完了する。
【００４８】
なお、上述した実施の形態では、端局２１から分岐装置１へ制御信号を送信するようにしたが、端局２２または端局２３から分岐装置１へ制御信号を送信するようにしても良い。
【００４９】
［第１の実施の形態の効果］
本実施の形態によれば、給電路接点回路内のリレー接点が正常に動作したか否かを確認することができるという効果を得ることができる。その理由は、給電路接点回路内のリレー接点の状態が変化する毎に抵抗値が変化する可変抵抗部を、給電路を構成するパスの内の、給電路の切り替え前後で共通して使用するパスに挿入するようにしたからである。
【００５０】
［本発明の第２の実施の形態］
次に、本発明の第２の実施の形態について説明する。本実施の形態は、第１の実施の形態に比較して構成を簡単なものにしたことを特徴とする。
【００５１】
本実施の形態では、図３に示した可変抵抗部１２の代わりに図６に示した可変抵抗部１２ａを使用する。同図を参照すると、可変抵抗部１２ａは１個の抵抗Ｒcomと、抵抗Ｒcomに並列に接続されたリレー接点ＲＬcomとから構成されている。リレー接点ＲＬcomは、短絡状態（ａ側）と開放状態（ｂ側）との２つの状態をとることができる。
【００５２】
また、本実施の形態では、可変抵抗制御部１３２に前述した処理の代わりに、以下の処理を行わせる。可変抵抗制御部１３２は、その内部にリレー接点ＲＬcomの状態（ａ側あるいはｂ側）を記録する状態記憶部（図示せず）を備えている。そして、端局２１〜２３から給電路接点回路１１１内のリレー接点ＲＬ１〜ＲＬ４の状態を切り替える制御信号が送られてくると、リレー接点ＲＬcomの状態を、状態記憶部に記録されている状態と反対の状態に切り替え、その後、状態記憶部の内容を切り替え後のリレー接点ＲＬcomの状態に変更する。このように可変抵抗制御部１３２は、リレー接点ＲＬ１〜ＲＬ４が動作する毎に、リレー接点ＲＬcomの短絡状態（ａ側）と開放状態（ｂ側）との２つの状態を交互に切り替える。
【００５３】
［第２の実施の形態の効果］
本実施の形態によれば、第１の実施の形態で得られる効果に加えて、分岐装置１の構成を経済的なものにすることができるという効果を得ることができる。
【００５４】
＜付記＞
上記実施形態の一部又は全部は、以下の付記のように記載され得るが、以下には限られない。
【００５５】
（付記１）
複数の接点を有する給電路接点回路を有し、前記複数の接点の状態を変更することにより給電路を切り替える分岐装置において、
各々の前記接点の状態が変化する毎に抵抗値が変化する可変抵抗部を、給電路を構成するパスのうち給電路の切り替え前後で共通に使用する共通パス部分に挿入したことを特徴とする分岐装置。
【００５６】
（付記２）
付記１記載の分岐装置において、
端局から送られてくる制御信号に従って、前記給電路接点回路の接点の状態を変更すると共に前記可変抵抗部の抵抗値を変化させる制御部を備えることを特徴とする分岐装置。
【００５７】
（付記３）
付記１または２記載の分岐装置において、
前記可変抵抗部は、
前記共通パス部分に挿入された抵抗と、
該抵抗に対して並列に接続され、短絡状態と開放状態との２つの状態をとることができるリレー接点とを備えることを特徴とする分岐装置。
【００５８】
（付記４）
付記１または２記載の分岐装置において、
前記可変抵抗部は、
前記共通パス部分に挿入された、直列に接続された複数の抵抗と、
前記抵抗毎のリレー接点であって、対応する抵抗に対して並列に接続され、短絡状態と開放状態との２つの状態をとることができるリレー接点とを備えたことを特徴とする分岐装置。
【００５９】
（付記５）
付記３記載の分岐装置において、
前記制御部は、前記端局から制御信号が送られてくる毎に、前記リレー接点の状態を、短絡状態と開放状態との内の、現在の状態と異なる状態に変更することを特徴とする分岐装置。
【００６０】
（付記６）
付記４記載の分岐装置において、
前記制御部は、前記端局から制御信号が送られてくる毎に、前記複数のリレー接点の内の前記制御信号の内容に応じたリレー接点の状態を、短絡状態と開放状態との内の、前記制御信号の内容に応じた状態にすることを特徴とする分岐装置。
【００６１】
（付記７）
付記１乃至６の何れか１項に記載の分岐装置において、
前記接点毎のダイオード対を並列に接続すると共に、各ダイオード対における接続部に対応する接点を接続したダイオードブリッジ回路を備え、且つ、
前記可変抵抗部は、前記ダイオードブリッジ回路に並列に接続されることを特徴とする分岐装置。
【００６２】
（付記８）
分岐装置と複数の端局とを含み、
前記分岐装置と前記複数の端局とは、それぞれ光ファイバと給電路の一部を構成するパスとにより接続され、
前記複数の端局は、それぞれ、
自端局と前記分岐装置とを接続する前記パスに定電流を供給する給電部と、
自端局と前記分岐装置とを接続する前記光ファイバを介して前記分岐装置へ制御信号を送信する制御信号送信部と、
自端局と前記分岐装置とを接続する前記パスの電位を検出する電位検出部とを備え、
前記分岐装置は、
複数の接点を有し、該複数の接点の状態が変更されることにより給電路を切り替える給電路接点回路と、
給電路を構成するパスのうち給電路の切り替え前後で共通に使用する共通パス部分に挿入された可変抵抗部と、
前記制御信号に従って前記複数の接点の状態を変更すると共に、前記可変抵抗部の抵抗値を変化させる制御部とを備えたことを特徴とする海底ケーブルシステム。
【００６３】
（付記９）
付記８記載の海底ケーブルシステムにおいて、
前記可変抵抗部は、
前記共通パス部分に挿入された抵抗と、
該抵抗に対して並列に接続され、短絡状態と開放状態との２つの状態をとることができるリレー接点とを備えることを特徴とする海底ケーブルシステム。
【００６４】
（付記１０）
付記８記載の海底ケーブルシステムにおいて、
前記可変抵抗部は、
前記共通パス部分に挿入された、直列に接続された複数の抵抗と、
前記抵抗毎のリレー接点であって、対応する抵抗に対して並列に接続され、短絡状態と開放状態との２つの状態をとることができるリレー接点とを備えたことを特徴とする海底ケーブルシステム。
【００６５】
（付記１１）
付記９記載の海底ケーブルシステムにおいて、
前記制御部は、前記端局から制御信号が送られてくる毎に、前記リレー接点の状態を、短絡状態と開放状態との内の、現在の状態と異なる状態に変更することを特徴とする海底ケーブルシステム。
【００６６】
（付記１２）
付記１０記載の海底ケーブルシステムにおいて、
前記制御部は、前記端局から制御信号が送られてくる毎に、前記複数のリレー接点の内の前記制御信号の内容に応じたリレー接点の状態を、短絡状態と開放状態との内の、前記制御信号の内容に応じた状態にすることを特徴とする海底ケーブルシステム。
【００６７】
（付記１３）
端局が、光ファイバを介して分岐装置へ制御信号を送信し、
前記分岐装置が、前記端局から送られてくる前記制御信号に従って、給電路接点回路が備えている複数の接点の状態を変更することにより給電路を切り替えると共に、給電路を構成するパスのうち給電路の切り替え前後で共通に使用する共通パス部分に挿入された可変抵抗部の抵抗値を変化させ、
前記端局が、前記給電路の電位を検出することを特徴とする給電路切り替え方法。
【００６８】
（付記１４）
付記１３記載の給電路切り替え方法において、
前記可変抵抗部は、
前記共通パス部分に挿入された抵抗と、
該抵抗に対して並列に接続され、短絡状態と開放状態との２つの状態をとることができるリレー接点とを備えることを特徴とする給電路切り替え方法。
【００６９】
（付記１５）
付記１３記載の給電路切り替え方法において、
前記可変抵抗部は、
前記共通パス部分に挿入された、直列に接続された複数の抵抗と、
前記抵抗毎のリレー接点であって、対応する抵抗に対して並列に接続され、短絡状態と開放状態との２つの状態をとることができるリレー接点とを備えたことを特徴とする給電路切り替え方法。
【００７０】
（付記１６）
付記１４記載の給電路切り替え方法において、
前記制御部は、前記端局から制御信号が送られてくる毎に、前記リレー接点の状態を、短絡状態と開放状態との内の、現在の状態と異なる状態に変更することを特徴とする給電路切り替え方法。
【００７１】
（付記１７）
付記１５記載の給電路切り替え方法において、
前記制御部は、前記端局から制御信号が送られてくる毎に、前記複数のリレー接点の内の前記制御信号の内容に応じたリレー接点の状態を、短絡状態と開放状態との内の、前記制御信号の内容に応じた状態にすることを特徴とする給電路切り替え方法。
【００７２】
（付記１８）
複数の接点を有し、該複数の接点の状態が変更されることにより、給電路を切り替える給電路接点回路と、給電路を構成するパスのうち給電路の切り替え前後で共通に使用する共通パス部分に挿入された可変抵抗部とを備えたコンピュータを、
端局から送られてきた制御信号に従って、前記複数の接点の状態を変更すると共に、前記可変抵抗部の抵抗値を変化させる制御部として機能させるためのプログラム。
【００７３】
（付記１９）
付記１８記載のプログラムにおいて、
請求項１または２記載の分岐装置において、
前記可変抵抗部は、
前記共通パス部分に挿入された抵抗と、
該抵抗に対して並列に接続され、短絡状態と開放状態との２つの状態をとることができるリレー接点とを備えることを特徴とするプログラム。
【００７４】
（付記２０）
付記１８のプログラムにおいて、
前記可変抵抗部は、
前記共通パス部分に挿入された、直列に接続された複数の抵抗と、
前記抵抗毎のリレー接点であって、対応する抵抗に対して並列に接続され、短絡状態と開放状態との２つの状態をとることができるリレー接点とを備えたことを特徴とするプログラム。
【００７５】
（付記２１）
付記１９記載のプログラムにおいて、
前記制御部は、前記端局から制御信号が送られてくる毎に、前記リレー接点の状態を、短絡状態と開放状態との内の、現在の状態と異なる状態に変更することを特徴とするプログラム。
【００７６】
（付記２２）
付記２０のプログラムにおいて、
前記制御部は、前記端局から制御信号が送られてくる毎に、前記複数のリレー接点の内の前記制御信号の内容に応じたリレー接点の状態を、短絡状態と開放状態との内の、前記制御信号の内容に応じた状態にすることを特徴とするプログラム。
【００７７】
なお、本発明は、日本国にて２０１３年８月２３日に特許出願された特願２０１３−１７３３７６の特許出願に基づく優先権主張の利益を享受するものであり、当該特許出願に記載された内容は、全て本明細書に含まれるものとする。
【産業上の利用可能性】
【００７８】
本発明は、海底ケーブルシステムに利用可能である。
【符号の説明】
【００７９】
１・・・分岐装置
１１・・・給電路切替部
１１１・・・給電路接点回路
１１２・・・ダイオードブリッジ回路
ＲＬ１〜ＲＬ４・・・リレー接点
Ｄ１〜Ｄ８・・・ダイオード
１２，１２ａ・・・可変抵抗部
Ｒ１〜Ｒ４・・・抵抗
ＲＬ１０１〜ＲＬ１０４・・・リレー接点
１３・・・制御部
１３１・・・給電路切替制御部
１３２・・・可変抵抗制御部
１３３・・・制御回路
ＰＤ１〜ＰＤ４・・・フォトダイオード
１４〜１６・・・光カプラ
２１〜２３・・・端局
２１１・・・給電部
２１２・・・制御信号送信部
２１３・・・電位検出部
２１４・・・入力部
２１５・・・表示部
３１〜３３・・・中継装置
４１〜４３・・・パス
５１〜５３・・・光ファイバ
【図１】
2015025518.tif 000003
【図２】
2015025518.tif 000004
【図３】
2015025518.tif 000005
【図４】
2015025518.tif 000006
【図５】
2015025518.tif 000007
【図６】
2015025518.tif 000008
【図７】
2015025518.tif 000009
【手続補正書】
【提出日】平成28年12月1日(2016.12.1)
【手続補正１】
【補正対象書類名】特許請求の範囲
【補正対象項目名】全文
【補正方法】変更
【補正の内容】
【特許請求の範囲】
【請求項１】
複数の給電線間の接続状態を切り替える給電路切替回路であって、
前記複数の給電線間の接続状態を切り替えるための複数のスイッチ回路と、
切替前後の給電線間の接続経路上に配置され、前記複数のスイッチ回路の動作に連動して抵抗値が変化する可変抵抗部と、
２つのダイオードを同じ向きに直列に接続した第１乃至第４のダイオード対を並列接続したダイオードブリッジ回路とを有し、
前記複数の給電線は、第１の端局に接続される第１の給電線と第２の端局に接続される第２の給電線と第３の端局に接続される第３の給電線とアースに接続される第４の給電線とを有し、
前記複数のスイッチ回路は、前記第１の給電線を前記第１のダイオード対の前記２つのダイオードの接続点および前記第４の給電線の何れか一方に接続する第１のスイッチ回路と、前記第２の給電線を前記第２のダイオード対の前記２つのダイオードの接続点および前記第４の給電線の何れか一方に接続する第２のスイッチ回路と、前記第３の給電線を前記第３のダイオード対の前記２つのダイオードの接続点および前記第４の給電線の何れか一方に接続する第３のスイッチ回路と、前記第４の給電線を前記第４のダイオード対の前記２つのダイオードの接続点に接続する第４のスイッチ回路とを有し、
前記可変抵抗部は、前記第１乃至第４のダイオード対に並列に接続され、前記第１乃至第４のスイッチ回路の動作に連動して抵抗値が変化する
給電路切替回路。
【請求項２】
請求項１に記載の給電路切替回路において、
前記第１乃至第３の端局から送られてくる制御信号に従って、前記第１乃至第４のスイッチ回路の状態を変更すると共に前記可変抵抗部の抵抗値を変化させる制御部
を備える給電路切替回路。
【請求項３】
請求項１または２に記載の給電路切替回路において、
前記可変抵抗部は、
抵抗と、
前記抵抗に並列に接続され、前記第１乃至第４のスイッチ回路が動作する毎に短絡状態と開放状態との２つの状態を交互に切り替える第５のスイッチ回路とを備える
給電路切替回路。
【請求項４】
請求項１または２に記載の給電路切替回路において、
前記可変抵抗部は、
直列に接続された第１乃至第４の抵抗と、
前記第１の抵抗に並列に接続され、前記第１のスイッチ回路の動作に連動してスイッチ状態を切り替える第５のスイッチ回路と、
前記第２の抵抗に並列に接続され、前記第２のスイッチ回路の動作に連動してスイッチ状態を切り替える第６のスイッチ回路と、
前記第３の抵抗に並列に接続され、前記第３のスイッチ回路の動作に連動してスイッチ状態を切り替える第７のスイッチ回路と、
前記第４の抵抗に並列に接続され、前記第４のスイッチ回路の動作に連動してスイッチ状態を切り替える第８のスイッチ回路とを備える
給電路切替回路。
【請求項５】
複数の給電線間の接続状態を切り替えるための複数のスイッチ回路と、切替前後の給電線間の接続経路上に配置された可変抵抗部と、２つのダイオードを同じ向きに直列に接続した第１乃至第４のダイオード対を並列接続したダイオードブリッジ回路とを有する給電路切替回路が実行する給電路切替方法であって、
前記複数の給電線は、第１の端局に接続される第１の給電線と第２の端局に接続される第２の給電線と第３の端局に接続される第３の給電線とアースに接続される第４の給電線とを有し、
前記複数のスイッチ回路は、前記第１の給電線を前記第１のダイオード対の前記２つのダイオードの接続点および前記第４の給電線の何れか一方に接続する第１のスイッチ回路と、前記第２の給電線を前記第２のダイオード対の前記２つのダイオードの接続点および前記第４の給電線の何れか一方に接続する第２のスイッチ回路と、前記第３の給電線を前記第３のダイオード対の前記２つのダイオードの接続点および前記第４の給電線の何れか一方に接続する第３のスイッチ回路と、前記第４の給電線を前記第４のダイオード対の前記２つのダイオードの接続点に接続する第４のスイッチ回路とを有し、
前記可変抵抗部は、前記第１乃至第４のダイオード対に並列に接続され、
前記複数のスイッチ回路の動作に連動して前記可変抵抗部の抵抗値を変化させる
給電路切替方法。
【請求項６】
複数の端局に接続される複数の光ファイバに接続されると共に複数の給電線に接続される分岐装置であって、
前記複数の給電線間の接続状態を切り替える給電路切替回路を有し、
前記給電路切替回路は、
前記複数の給電線間の接続状態を切り替えるための複数のスイッチ回路と、
切替前後の給電線間の接続経路上に配置され、前記複数のスイッチ回路の動作に連動して抵抗値が変化する可変抵抗部と、
２つのダイオードを同じ向きに直列に接続した第１乃至第４のダイオード対を並列接続したダイオードブリッジ回路とを有し、
前記複数の給電線は、前記複数の端局のうちの第１の端局に接続される第１の給電線と前記複数の端局のうちの第２の端局に接続される第２の給電線と前記複数の端局のうちの第３の端局に接続される第３の給電線とアースに接続される第４の給電線とを有し、
前記複数のスイッチ回路は、前記第１の給電線を前記第１のダイオード対の前記２つのダイオードの接続点および前記第４の給電線の何れか一方に接続する第１のスイッチ回路と、前記第２の給電線を前記第２のダイオード対の前記２つのダイオードの接続点および前記第４の給電線の何れか一方に接続する第２のスイッチ回路と、前記第３の給電線を前記第３のダイオード対の前記２つのダイオードの接続点および前記第４の給電線の何れか一方に接続する第３のスイッチ回路と、前記第４の給電線を前記第４のダイオード対の前記２つのダイオードの接続点に接続する第４のスイッチ回路とを有し、
前記可変抵抗部は、前記第１乃至第４のダイオード対に並列に接続され、前記第１乃至第４のスイッチ回路の動作に連動して抵抗値が変化する
分岐装置。
【請求項７】
複数の端局と、
前記複数の端局に接続される複数の光ファイバに接続されると共に複数の給電線に接続される分岐装置とを有し、
前記分岐装置は、前記複数の給電線間の接続状態を切り替える給電路切替回路を有し、
前記給電路切替回路は、前記複数の給電線間の接続状態を切り替えるための複数のスイッチ回路と、切替前後の給電線間の接続経路上に配置され、前記複数のスイッチ回路の動作に連動して抵抗値が変化する可変抵抗部とを有し、
前記複数の端局のうちの少なくとも１つの端局は、
前記分岐装置との間の前記給電線に定電流を供給する給電部と、
前記分岐装置に対して前記複数のスイッチ回路を切り替える制御信号を送信する制御信号送信部と、
前記分岐装置との間の前記給電線の電位を検出する電位検出部とを有する
海底ケーブルシステム。
【国際調査報告】
2015025518.tif 000010
2015025518.tif 000011
2015025518.tif 000012
2015025518.tif 000013